【手続補正書】
【提出日】平成19年10月24日(2007.10.24)
【手続補正１】
【補正対象書類名】特許請求の範囲
【補正対象項目名】全文
【補正方法】変更
【補正の内容】
【特許請求の範囲】
【請求項１】
コインを任意の姿勢状態で投入可能なコイン投入部と、該コイン投入部の下部に連続して下方傾斜して延在し、前記コイン投入部に投入されたコインが通過するコイン通路部と、該コイン通路部を振動させる振動手段とを有し、前記コイン通路部が、前記コインの両側端部を点接触により支持し得る断面凹状の底部と、該底部の上を前記コイン通路部の終端部まで移動してきたコインと触突するコイン触突壁と、該コイン触突壁に沿って前記底部に開口し前記コインの１枚分の厚さ幅よりも広くかつ２枚分の厚さ幅よりも狭い間隙を有するコイン送出口とを有する投入コイン送出装置が、前記コイン投入部に任意の姿勢状態で投入されたコインの両側端部を、前記振動手段によって振動する前記コイン通路部の底部によって点接触により支持し、前記コインを前記コイン通路部の終端部まで移動させ、該コイン通路部の終端部で前記コイン触突壁に触突させて前記コイン触突壁に沿って延在する起立姿勢状態とし、前記コイン送出口から前記コイン通路部の下方に送り出し、
前記コイン通路部の下方に配置され、前記コイン送出口から送り出されたコインを案内して通過させるコイン案内路と、該コイン案内路を通過するコインを検出するコイン通過検出部とを有するコイン受入認識装置が、前記投入コイン送出装置のコイン送出口から送り出されたコインを、前記コイン案内路によって案内し、前記コイン案内路によって案内されるコインを前記コイン通過検出部によって検出し、前記コイン通過検出部からの検出信号に基づいて前記コインを受け入れたことを認識する遊技機において、
緩衝部材を介して前記投入コイン送出装置を前記遊技機の筐体に支持する投入コイン送出装置支持部を備え、
前記投入コイン送出装置支持部は、
前記コイン通路部の左右両側に沿って互いに並行に延在して前記投入コイン送出装置を間に介在させて支持する一対の支持アームを有し、該一対の支持アームが互いに接近及び離反する方向に弾性変形可能な構成を有することを特徴とする遊技機。
【請求項２】
前記投入コイン送出装置支持部は、前記筐体の前面扉の背面に沿って延在する正面壁部と、該正面壁部の左右両端部で折曲されて前記前面扉の背面から各々突出する左右一対の側壁面部とを有し、
前記支持アームが、前記側壁面部から後方に向かって突出して前記前面扉の閉鎖時に前記支持アームの先端部が前記遊技機の筐体内部方向に向かうように前記側壁面部に固定されていることを特徴とする請求項１に記載の遊技機。
【請求項３】
前記投入コイン送出装置は、第２緩衝部材を間に介在して前記コイン通路部を支持するケース本体を有し、
前記投入コイン送出装置支持部は、第１緩衝部材を間に介して前記ケース本体を支持することを特徴とする請求項１又は２に記載の遊技機。
【請求項４】
前記ケース本体は、
前記コイン通路部の左右両側に沿って延在する左右一対のサイドフレーム部、該各サイドフレーム部の両前端部間を連結する前フレーム部、前記各サイドフレーム部の両後端部間を連結する後フレーム部を有し、前記前フレーム部に前方に向かって突出する前方支持軸が設けられており、
前記投入コイン送出装置支持部の正面壁部には、
前記第１緩衝部材を間に介在して前記前方支持軸を挿入支持する前方支持穴が開口形成されていることを特徴とする請求項３に記載の遊技機。
【請求項５】
前記コイン通路部には、
該コイン通路部の軸心に対して直交して下方に突出するように縦軸部が設けられており、
前記ケース本体の前フレーム部には、
前記第２緩衝部材を間に介して前記縦軸部を挿入支持する縦軸部受け孔が開口形成されていることを特徴とする請求項４に記載の遊技機。
【請求項６】
前記ケース本体は、
前記コイン通路部の左右両側に沿って延在する左右一対のサイドフレーム部、該各サイドフレーム部の両前端部間を連結する前フレーム部、前記各サイドフレーム部の両後端部間を連結する後フレーム部を有し、前記各サイドフレーム部から側方に向かって各々突出する一対の側方支持軸が設けられており、
前記一対の支持アームには、
前記側方支持軸を挿入支持する側方支持穴が開口形成されていることを特徴とする請求項３〜５のいずれか１項に記載の遊技機。
【請求項７】
前記一対の支持アームは、互いに対向する方向に大きく弾性変形可能な板状部材によって構成されており、高さ方向に所定幅を有して、後方に向かって延在していることを特徴とする請求項２〜６のいずれか１項に記載の遊技機。
【請求項８】
前記一対の支持アームの先端部には、後方に移行するに従って前記各サイドフレーム部から離間するようにタブ部が突設されたことを特徴とする請求項７に記載の遊技機。
【手続補正２】
【補正対象書類名】明細書
【補正対象項目名】００１６
【補正方法】変更
【補正の内容】
【００１６】
上記課題を解決する請求項１に記載した遊技機１の発明は、コインＭを任意の姿勢状態で投入可能なコイン投入部４１と、コイン投入部４１の下部に連続して下方傾斜して延在し、コイン投入部４１に投入されたコインＭが通過するコイン通路部４２と、コイン通路部４２を振動させる振動手段４３とを有し、コイン通路部４２が、コインＭの両側端部を点接触により支持し得る断面凹状の底部４２ａと、底部４２ａの上をコイン通路部４２の終端部まで移動してきたコインＭと触突するコイン触突壁４２ｂと、コイン触突壁４２ｂに沿って底部４２ａに開口しコインＭの１枚分の厚さ幅よりも広くかつ２枚分の厚さ幅よりも狭い間隙を有するコイン送出口４２ｃとを有する投入コイン送出装置４０が、コイン投入部４１に任意の姿勢状態で投入されたコインＭの両側端部を、振動手段４３によって振動するコイン通路部４２の底部４２ａによって点接触により支持し、コインＭをコイン通路部４２の終端部まで移動させ、コイン通路部４２の終端部でコイン触突壁４２ｂに触突させてコイン触突壁４２ｂに沿って延在する起立姿勢状態とし、コイン送出口４２ｃからコイン通路部４２の下方に送り出し、コイン通路部４２の下方に配置され、コイン送出口４２ｃから送り出されたコインＭを案内して通過させるコイン案内路５２と、コイン案内路５２を通過するコインＭを検出するコイン通過検出部５５とを有するコイン受入認識装置５０が、投入コイン送出装置４０のコイン送出口４２ｃから送り出されたコインＭを、コイン案内路５２によって案内し、コイン案内路５２によって案内されるコインＭをコイン通過検出部５５によって検出し、コイン通過検出部５５からの検出信号に基づいてコインＭを受け入れたことを認識する遊技機１において、緩衝部材Ｇ１、Ｇ２を介して投入コイン送出装置４０を遊技機１の筐体２に支持する投入コイン送出装置支持部７１を備え、投入コイン送出装置支持部７１は、コイン通路部４２の左右両側に沿って互いに並行に延在して投入コイン送出装置４０を間に介在させて支持する一対の支持アーム７４、７４を有し、一対の支持アーム７４、７４が互いに接近及び離反する方向に弾性変形可能な構成を有することを特徴とする。
【手続補正３】
【補正対象書類名】明細書
【補正対象項目名】００１７
【補正方法】変更
【補正の内容】
【００１７】
請求項１に記載の発明によれば、コイン投入部４１のコイン投入口４１ａに任意の姿勢状態で投入されたコインＭは、コイン投入部４１の下部に連続して下方傾斜して延在するコイン通路部４２に供給され、コイン通路部４２の底部４２ａ上を下方に向かって滑り落ちながら移動する。
【手続補正４】
【補正対象書類名】明細書
【補正対象項目名】００１８
【補正方法】変更
【補正の内容】
【００１８】
底部４２ａは、所定の曲率半径を有して凹状に湾曲しており、コイン通路部４２は、振動手段４３によって振動されている。したがって、コインＭはその移動方向に直交する両側端部が底部４２ａに点接触し、コインＭの移動方向に沿って延在するように支持され、コインＭの両側端部を中心として容易に回動可能な不安定な姿勢状態で底部４２ａ上を下方に向かって滑り落ちながら移動する。
【手続補正５】
【補正対象書類名】明細書
【補正対象項目名】００１９
【補正方法】変更
【補正の内容】
【００１９】
このような不安定な姿勢状態で底部４２ａ上を滑り落ちながら移動したコインＭは、コイン通路部４２の終端部分でコイン触突壁４２ｂに触突し、より安定した姿勢状態となるべく、コイン触突壁４２ｂに沿って起立する姿勢状態へと姿勢変化し、コイン触突壁４２ｂに沿って張り付くように配置される。コインＭは、コイン触突壁４２ｂに張り付くように配置されると、自重によりコイン触突壁４２ｂに沿って下方に移動し、コイン触突壁４２ｂの下側に連続して開口形成されているコイン送出口４２ｃから自然落下し、コイン通路部４２の下方に送り出される。
【手続補正６】
【補正対象書類名】明細書
【補正対象項目名】００２０
【補正方法】変更
【補正の内容】
【００２０】
コインＭは、コイン通路部４２の下方に送り出されると、コイン送出口４２ｃの下部に連続して下方に向かって延在するコイン案内路５２によって案内され、コイン通過検出部５５によって通過検出され、コインＭの受け入れが認識される。
【手続補正７】
【補正対象書類名】明細書
【補正対象項目名】００２１
【補正方法】変更
【補正の内容】
【００２１】
したがって、コインＭに振動を与えながら上方から下方に向かって移動させるのみでコインＭをコイン送出口４２ｃから迅速に送り出し、コイン受入認識装置５０に供給することができる。
【手続補正８】
【補正対象書類名】明細書
【補正対象項目名】００２２
【補正方法】変更
【補正の内容】
【００２２】
また、コイン投入部４１から投入コイン送出装置４０内に投入されたコインＭは、コイン投入部４１内を下方に向かって移動し、コイン通路部４２内でその移動方向と異なる方向である下方傾斜方向に向かって移動し、コイン通路部４２の終端部分で再び移動方向を変更して下方に向かって移動して、コイン受入認識装置５０に供給される。したがって、コインＭを投入コイン送出装置４０内でいわゆるクランク状に折れ曲がった移動軌跡を描くように移動させることができる。これにより、コイン投入部４１から長尺状の異物を挿入してコイン受入認識装置５０のコイン通過検出部５５に誤検出させる等の不正行為の実施を困難なものとすることができる。
【手続補正９】
【補正対象書類名】明細書
【補正対象項目名】００２３
【補正方法】変更
【補正の内容】
【００２３】
また、複数枚のコインＭを一括して投入することにより、第１のコインＭがコイン触突壁４２ｂに沿って配置され、第２のコインＭが第１のコインＭをコイン触突壁４２ｂに押圧して挟持する状況となった場合は、振動手段４３によってコイン通路部４２が振動されることにより、第２のコインＭによる第１のコインＭへの荷重や摩擦抵抗力を軽減することができる。したがって、第１のコインＭをコイン通路部４２内に滞留させることなく、コイル送出口４２ｃから円滑に送り出すことができる。
【手続補正１０】
【補正対象書類名】明細書
【補正対象項目名】００２４
【補正方法】変更
【補正の内容】
【００２４】
そしてまた、投入コイン送出装置４０は、投入コイン送出装置支持部７１に支持されて、コイン通路部４２の左右両側に沿って互いに並行に延在して投入コイン送出装置４０を間に介在させて支持する一対の支持アーム７４、７４によって支持されるので、振動手段４３によりコイン通路部４２に付与された振動が投入コイン送出装置支持部７１を介して投入コイン送出装置４０からコイン受入認識装置５０に直接伝達されるのを防ぎ、コイン受入認識装置５０に伝達される振動を減衰し、軽減することができる。
【手続補正１１】
【補正対象書類名】明細書
【補正対象項目名】００２５
【補正方法】変更
【補正の内容】
【００２５】
したがって、コイン受入認識装置５０の構成部品を固定する固定ねじの緩み等を防止することができ、また、コイン受入認識装置５０内でコインＭを挙動の極力少ない、安定した姿勢状態で通過させることができ、コイン受入認識装置５０に適切な受入認識判断を行わせることができる。
【手続補正１２】
【補正対象書類名】明細書
【補正対象項目名】００２６
【補正方法】変更
【補正の内容】
【００２６】
また、コイン通路部４２の振動が投入コイン送出装置支持部７１を介して遊技機１の筐体２に伝達されるのを抑制し、振動に起因した騒音の発生を防ぎ、静粛性を確保することができる。
【手続補正１３】
【補正対象書類名】明細書
【補正対象項目名】００２７
【補正方法】変更
【補正の内容】
【００２７】
特に、投入コイン送出装置４０は、互いに接近及び離反する方向に弾性変形可能な一対の支持アーム７４、７４によって支持されるので、振動手段４３によってコイン通路部４２に振動が付与されたときに、コインＭに振動を与えてコイン送出口４２ｃから迅速に送り出しつつも、支持アーム７４、７４の弾性変形によってコイン受入認識装置５０に伝達される振動を吸収して減衰し、軽減することができる。
【手続補正１４】
【補正対象書類名】明細書
【補正対象項目名】００２８
【補正方法】変更
【補正の内容】
【００２８】
そして、振動手段４３によってコイン通路部４２に付与される左右方向の振動については、一対の支持アーム７４、７４がコイン通路部４２に対向する方向に大きく弾性変形可能な構成を有しているので、確実に吸収され軽減することができる。
【手続補正１５】
【補正対象書類名】明細書
【補正対象項目名】００２９
【補正方法】変更
【補正の内容】
【００２９】
さらに、一対の支持アーム７４、７４は互いに離反する方向に弾性変形可能であることから、例えばコイン通路部４２にコインＭが滞留して投入コイン送出装置４０のメンテナンスが必要となったときに、一対の支持アーム７４、７４の互いの間隔を広げて弾性変形させて投入コイン送出装置４０の支持を解除するだけで遊技機１から取り外すことができる。したがって、投入コイン送出装置４０のメンテナンスを簡易に行うことができる。そして、取り付け時には、一対の支持アーム７４、７４の互いの間隔を広げて弾性変形させて投入コイン送出装置４０を投入コイン送出装置支持部７１に支持するだけで容易に取り付けることができる。
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】変更
【補正の内容】
【００３１】
請求項２に記載の発明は、請求項１に記載した遊技機１において、投入コイン送出装置支持部７１は、筐体２の前面扉３の背面に沿って延在する正面壁部７１ａと、正面壁部７１ａの左右両端部で折曲されて前面扉３の背面から各々突出する左右一対の側壁面部７１ｂ、７１ｃとを有し、支持アーム７４が、側壁面部７１ｂ、７１ｃから後方に向かって突出して前面扉３の閉鎖時に支持アーム７４の先端部が遊技機１の筐体２内部方向に向かうように側壁面部７１ｂ、７１ｃに固定されていることを特徴とする。
【手続補正１８】
【補正対象書類名】明細書
【補正対象項目名】００３２
【補正方法】変更
【補正の内容】
【００３２】
請求項３に記載の発明は、請求項１又は２に記載した遊技機１において、投入コイン送出装置４０は、第２緩衝部材Ｇ２を間に介在してコイン通路部４２を支持するケース本体４４を有し、投入コイン送出装置支持部７１は、第１緩衝部材Ｇ１を間に介してケース本体４４を支持することを特徴とする。
【手続補正１９】
【補正対象書類名】明細書
【補正対象項目名】００３３
【補正方法】変更
【補正の内容】
【００３３】
請求項３に記載の発明によれば、コイン通路部とケース本体との間に第２緩衝部材を介在させ、ケース本体と投入コイン送出装置支持部との間に第１緩衝部材を介在させた構造により、二重のフローティング支持構造とし、投入コイン送出装置から投入コイン送出装置支持部に伝達される振動を２乗倍の減衰比によって減衰させて軽減することができる。
【手続補正２０】
【補正対象書類名】明細書
【補正対象項目名】００３４
【補正方法】変更
【補正の内容】
【００３４】
したがって、コイン受入認識装置５０に伝達される振動をより小さくすることができ、振動に起因したコイン受入認識装置５０への影響を極力排除することができる。また、振動の抑制により遊技機１の極めて高い静粛性を得ることができる。
【手続補正２１】
【補正対象書類名】明細書
【補正対象項目名】００３５
【補正方法】変更
【補正の内容】
【００３５】
請求項４に記載の発明は、請求項３に記載した遊技機１において、ケース本体４４は、コイン通路部４２の左右両側に沿って延在する左右一対のサイドフレーム部４４ａ、４４ｂ、これら左右一対のサイドフレーム部４４ａ、４４ｂの両前端部間を連結する前フレーム部４４ｃ、サイドフレーム部４４ａ、４４ｂの両後端部間を連結する後フレーム部４４ｄを有し、前フレーム部４４ｃに前方に向かって突出する前方支持軸４４ｊが設けられており、投入コイン送出装置支持部７１の正面壁部７１ａには、第１緩衝部材Ｇ１を間に介在して前方支持軸４４ｊを挿入支持する前方支持穴７１ｄが開口形成されていることを特徴とする。
【手続補正２２】
【補正対象書類名】明細書
【補正対象項目名】００３６
【補正方法】変更
【補正の内容】
【００３６】
請求項４に記載の発明は、ケース本体４４の前部を投入コイン送出装置支持部７１の正面壁部７１ａに支持する具体的な支持構造を示したものであり、これによれば、ケース本体４４の前フレーム部４４ｃから前方に向かって突出する前方支持軸４４ｊを、第１緩衝部材Ｇ１を間に介在させて、投入コイン送出装置支持部７１の正面壁部７１ａに開口形成された前方支持穴７１ｄに挿入支持することによって、ケース本体４４の前部を投入コイン送出装置支持部７１に支持することができる。
【手続補正２３】
【補正対象書類名】明細書
【補正対象項目名】００３７
【補正方法】変更
【補正の内容】
【００３７】
請求項５に記載の発明は、請求項４に記載した遊技機１において、コイン通路部４２には、コイン通路部４２の軸心に対して直交して下方に突出するように縦軸部４２ｈが設けられており、ケース本体４４の前フレーム部４４ｃには、第２緩衝部材Ｇ２を間に介して縦軸部４２ｈを挿入支持する縦軸部受け孔４４ｆが開口形成されていることを特徴とする。
【手続補正２４】
【補正対象書類名】明細書
【補正対象項目名】００３８
【補正方法】変更
【補正の内容】
【００３８】
請求項５に記載の発明は、投入コイン送出装置４０を支持する二重のフローティング支持構造を具体的に示したものであり、これによれば、コイン通路部４２の軸心から直交して垂下するように突出する縦軸部４２ｈを、第２緩衝部材Ｇ２を間に介在させて、本体ケース４４の前フレーム部４４ｃに開口形成された縦軸部受け孔４４ｆに挿入支持することによって、投入コイン送出装置４０を本体ケース４４に支持することができる。
【手続補正２５】
【補正対象書類名】明細書
【補正対象項目名】００３９
【補正方法】変更
【補正の内容】
【００３９】
したがって、第１緩衝部材Ｇ１および第２緩衝部材Ｇ２を振動の伝達方向である投入コイン送出装置４０の前方に集中して設けることができるので、振動手段４３によって投入コイン送出装置４０に付与された振動は確実に吸収され、二重のフローティング支持構造による作用をより確実なものとすることができる。
【手続補正２６】
【補正対象書類名】明細書
【補正対象項目名】００４０
【補正方法】変更
【補正の内容】
【００４０】
請求項６に記載の発明は、請求項３〜５のいずれか１項に記載した遊技機１において、ケース本体４４は、コイン通路部４２の左右両側に沿って延在する左右一対のサイドフレーム部４４ａ、４４ｂ、これら左右一対のサイドフレーム部４４ａ、４４ｂの両前端部間を連結する前フレーム部４４ｃ、サイドフレーム部４４ａ、４４ｂの両後端部間を連結する後フレーム部４４ｄを有し、各サイドフレーム部４４ａ、４４ｂから側方に向かって各々突出する一対の側方支持軸４４ｉが設けられており、一対の支持アーム７４、７４には、側方支持軸４４ｉを挿入支持する側方支持穴７４ａが開口形成されていることを特徴とする。
【手続補正２７】
【補正対象書類名】明細書
【補正対象項目名】００４１
【補正方法】変更
【補正の内容】
【００４１】
請求項６に記載の発明は、ケース本体４４の各サイドフレーム部４４ａ、４４ｂを一対の支持アーム７４、７４で支持する具体的な支持構造を示したものであり、これによれば、ケース本体４４の各サイドフレーム部４４ａ、４４ｂから側方に向かって各々突出する一対の側方支持軸４４ｉを、一対の支持アーム７４、７４に開口形成された側方支持穴７４ａに挿入支持することによって、ケース本体４４の側部を投入コイン送出装置支持部７１に支持することができる。
【手続補正２８】
【補正対象書類名】明細書
【補正対象項目名】００４２
【補正方法】変更
【補正の内容】
【００４２】
したがって、投入コイン送出装置４０の取り付けおよび取り外しをさらに容易に行うことができる。
【手続補正２９】
【補正対象書類名】明細書
【補正対象項目名】００４３
【補正方法】変更
【補正の内容】
【００４３】
請求項７に記載の発明は、請求項２〜６のいずれか１項に記載した遊技機１において、一対の支持アーム７４、７４は、互いに対向する方向に大きく弾性変形可能な板状部材によって構成されており、高さ方向に所定幅を有して、後方に向かって延在していることを特徴とする。
【手続補正３０】
【補正対象書類名】明細書
【補正対象項目名】００４４
【補正方法】変更
【補正の内容】
【００４４】
請求項７に記載の発明は、ケース本体４４を支持する一対の支持アーム７４、７４の具体的な構造を示したものであり、これによれば、一対の支持アーム７４、７４を板状部材によって構成し、かつ高さ方向に所定幅を有して、後方に向かって延在させたことによって、一対の支持アーム７４、７４を本体ケース４４の幅方向に離間して互いに並行に延在する姿勢状態とすることができる。
【手続補正３１】
【補正対象書類名】明細書
【補正対象項目名】００４５
【補正方法】変更
【補正の内容】
【００４５】
したがって、振動手段４３によって付与された振動を、一対の支持アーム７４、７４を互いに対向する方向に大きく弾性変形させることによって確実に吸収し、減衰することができる。
【手続補正３２】
【補正対象書類名】明細書
【補正対象項目名】００４６
【補正方法】変更
【補正の内容】
【００４６】
請求項８に記載の発明は、請求項７に記載した遊技機１において、一対の支持アーム７４、７４の先端部には、後方に移行するに従って各サイドフレーム部４４ａ、４４ｂから離間するようにタブ部７４ｂが突設されたことを特徴とする。
【手続補正３３】
【補正対象書類名】明細書
【補正対象項目名】００４７
【補正方法】変更
【補正の内容】
【００４７】
請求項８に記載の発明によれば、一対の支持アーム７４、７４の先端部に設けられたタブ部７４ｂを把持して互いに離反する方向に移動させるだけで一対の支持アーム７４、７４相互の間隔を広げることができるので、投入コイン送出装置４０の取り外しまたは取り付けを極めて簡易に行うことができる。
【手続補正３４】
【補正対象書類名】明細書
【補正対象項目名】００５１
【補正方法】変更
【補正の内容】
【００５１】
また、緩衝部材を介して投入コイン送出装置を遊技機の筐体に支持したので、投入コイン送出装置から遊技機の筐体に伝達される振動を緩衝部材によって減衰させて軽減することができる。したがって、筐体の振動による騒音の発生を防ぎ、静粛性を得ることができる。また、投入コイン送出装置の振動がコイン受入認識装置に伝達するのを防ぎ、振動に起因したコイン受入認識装置のコイン受入認識性能の低下を防止し、コイン受入認識装置に適切な認識を行わせることができる。
【手続補正３５】
【補正対象書類名】明細書
【補正対象項目名】００５２
【補正方法】変更
【補正の内容】
【００５２】
また、一対の支持アームによって投入コイン送出装置を支持したので、一対の支持アームで狭持するような簡易な支持構造とすることができる。そして、コイン通路部に付与された振動は一対の支持アームの弾性変形によって吸収されて減衰されることから、緩衝部材と相俟って投入コイン送出装置支持部を介した振動の伝達を防止することができる。